(57)【特許請求の範囲】
【請求項１】
人体に液体を噴射し人体を洗浄する洗浄ノズルと、人体に気体を噴射し人体を乾燥する乾燥ノズルを共有し一体化した洗浄乾燥ノズルヘッドと、前記洗浄乾燥ノズルヘッドへ通じる流路を一体化した流体通路と、前記流体通路を介して洗浄ノズル及び乾燥ノズルへ流体を供給する液体供給手段と気体供給手段と、前記液体供給手段と気体供給手段からの流体を切り替える運転制御手段と、前記気体供給手段の作動と連動して動作する温風吹出手段とを備えた人体洗浄乾燥装置。
【請求項２】
前記洗浄乾燥ノズルヘッドを人体の任意の位置に移動するノズル移動手段を備えた請求項１記載の人体洗浄乾燥装置。
【請求項３】
ノズル移動手段は、流体通路を内有し、洗浄ノズル及び乾燥ノズルを前後移動または扇状にワイピング移動可能に配設されたノズル移動手段と、前記ノズル移動手段に動力を伝える電動モータから構成された請求項２記載の人体洗浄乾燥装置。
【請求項４】
洗浄乾燥ノズルヘッドは、複数の洗浄ノズルもしくは乾燥ノズルを具備して構成された請求項１記載の人体洗浄乾燥装置。
【請求項５】
洗浄乾燥ノズルヘッドは、複数の噴射孔を有する洗浄ノズルあるいは乾燥ノズルを配設して構成された請求項１記載の人体洗浄乾燥装置。
【請求項６】
気体供給手段は、断続的な噴流を噴射させるためのエアーコンプレッサーと、蓄圧タンク、そして開閉弁から構成された請求項１記載の人体洗浄乾燥装置。
【請求項７】
人体洗浄水として、水道水に気体を混入し利用する液体供給手段において、前記気体を供給するエアーポンプと、洗浄時に人体に付着した水滴を、気流噴流を当て剥離滴下させて乾燥を行う気体供給手段におけるエアーポンプを共用化して構成された請求項１記載の人体洗浄乾燥装置。
【請求項８】
エアーポンプは、吐出流量可変型のエアーポンプと、吐出流量制御回路を具備して構成された請求項７記載の人体洗浄乾燥装置。
【発明の詳細な説明】
【０００１】
【発明の属する技術分野】
本発明は、温水洗浄便座等による臀部、ビディ等の洗浄、あるいは手の洗浄、または体全体の人体洗浄における乾燥を速め、衛生的処理を行う小形省資源型人体洗浄乾燥装置に
関するものである。
【０００２】
【従来の技術】
従来の、この種の洗浄乾燥装置には、例えば用便後洗浄乾燥方式では、、洗浄ノズルから温水を噴射させで洗浄した後、人体に付着した水滴に温風を吹き掛け、乾燥を行う、所謂温風乾燥方式が一般的に使用されている。このような洗浄乾燥方式は、概して図６に示すように１は洗浄ノズル、２は噴出口、３は便座、４は温風吹き出し口、５は洗浄水を貯溜するタンク、６は便座カバー、Ａは臀部、Ｂは臀部底部、Ｃは肛門を示し、便座に着座した状態で洗浄ノズル臀部底部に洗浄ノズルから温水を噴射させて臀部回りを洗浄すると共に、この後、温風吹き出し口から温風を吹き出させ、付着した水滴を乾燥する方式である。
【０００３】
【発明が解決しようとする課題】
しかしながら上記従来の洗浄乾燥装置において、洗浄ノズルから洗浄水を噴射させて洗浄し、次の段階で温風吹出口より温風を吹き掛けて乾燥する方式を取っているため、人体周辺の温風温度を余り上げられないため水滴を蒸発乾燥させるには長時間掛かっていた。また温風熱量を十分使い切らずに排出されるため、長時間運転が余儀なくされる一方で、効率が悪く省エネルギーの視点からも問題があった。
【０００４】
【課題を解決するための手段】
本発明は上記課題を解決するため、人体に液体（水又は温水）を噴射し人体を洗浄する洗浄ノズルと、人体に気体（常温気体または温風）を噴射し人体を乾燥する乾燥ノズルを設け、これらを一体化した洗浄乾燥ノズルヘッドを構成し、洗浄乾燥ノズルヘッドの洗浄ノズルから液体を噴射させ、用便後の人体を洗浄すると共に、前記洗浄乾燥ノズルヘッドの乾燥ノズルより、ジェット乾燥気流を断続的に人体局部を移動させながら噴射させ、付着した水滴を吹き飛ばし、さらに人体周囲より乾燥温風を吹き掛け、蒸発乾燥を繰り返し行う構成としたものである。
【０００５】
上記発明によれば、特に局部洗浄後に付着した水滴を、断続的なジェット乾燥噴流によって大きな水滴を吹き飛ばし、飛散滴下させる一方、微小な水膜状の水滴は、乾燥温風によって蒸発乾燥するように構成されているため、乾燥の促進作用が高く、乾燥のための待ち時間が短縮され、不快感が解消さると共に、乾燥時間の短縮によって省エネルギー効果も向上される。また洗浄ノズルと乾燥ノズルを一体化し洗浄乾燥ノズルヘッドと、さらに前記洗浄ノズルと乾燥ノズルへ流れる流体の通路を一体化したユニットを構成することによって、これらの出し入れや、任意の位置に移動させる駆動源も、１つに削減できると共に、さらに断続的なジェット噴流方式は、少ない流量で水滴を剥離滴下させることができるため、大形の高圧力型送風機に替わって小形のエアーコンプレッサーへの置き換えが可能になる。
【０００６】
【発明の実施の形態】
本発明は、各請求項に記載の形態で実施できるものであり、先ず請求項１の記載によれば、人体に液体（水又は温水）を噴射し人体を洗浄する洗浄ノズルと、人体に気体（常温気体または温風）を噴射し人体を乾燥する乾燥ノズルを共有し一体化した洗浄乾燥ノズルヘッドと、前記洗浄乾燥ノズルヘッドへ通じる流路を一体化した流体通路と、前記流体通路を介して洗浄ノズル及び乾燥ノズルへ流体を供給する液体供給手段と気体供給手段と、前記液体供給手段と気体供給手段からの流体を切り替える運転制御手段と、気体供給手段の作動と連動して動作する温風吹出手段を具備して人体洗浄乾燥装置が構成されているので、用便後に、液体供給手段を介して洗浄乾燥ノズルヘッドの洗浄ノズルから人体局部に噴射させて洗浄し、後に気体供給手段を介して洗浄乾燥ノズルヘッドの乾燥ノズルからジェット噴流を噴射させ、洗浄後に付着した水滴を吹き飛ばし、飛散滴下させる効果が高い。一方、微小な水膜状の水滴は、乾燥温風によって蒸発乾燥するように繰り替えし行われる。つまり、気体供給手段を介して洗浄乾燥ノズルヘッドの乾燥ノズルからジェット噴流を噴射させ、洗浄時に付着した水滴を吹き飛ばし、飛散滴下させる一方、乾燥温風が加わることによって微小な水膜状の水滴が、蒸発乾燥させることができるため、乾燥の促進作用が高く、乾燥のための待ち時間が短縮され、不快感が解消さると共に、乾燥時間の短縮によって省エネルギー効果も向上される。
【０００７】
また請求項２記載によれば、前記洗浄乾燥ノズルヘッドを人体の任意の位置に移動するノズル移動手段を備えて人体洗浄乾燥装置が構成されているので、洗浄時の洗浄ノズルや、乾燥時の乾燥ノズルの位置を任意に可変できるため、洗浄あるいは乾燥の効果が高く、これらに要する時間も短縮される。「待ち」の不快さが解消される。また洗浄ノズルと乾燥ノズルを一体化して洗浄乾燥ノズルヘッドが構成されているため、これらを出し入れや任意の位置に移動させる駆動源も、１つに削減できる。省資源省エネルギー視点からの効果が期待できる。
【０００８】
また請求項３の記載によれば、ノズル移動手段は、流体通路を内有し、洗浄ノズル及び乾燥ノズルを前後移動または扇状にワイピング移動可能に配設されたノズル移動手段と、前記ノズル移動手段に動力を伝える電動モータから人体洗浄乾燥装置が構成されているので、洗浄ノズルあるいは乾燥ノズルが局部の任意の位置に移動が可能なるため、人体のサイズや着座位置のバラツキに対して位置調整や可変が容易になり、この結果最良の洗浄乾燥効果が得られる。
【０００９】
また洗浄ノズルと乾燥ノズルの出し入れや移動させる駆動源も、１つに削減できる。
【００１０】
また請求項４記載によれば、洗浄乾燥ノズルヘッドは、複数の洗浄ノズルもしくは乾燥ノズルを具備して人体洗浄乾燥装置が構成されているので、人体局部面積が広く、あるいは表面形状が複雑であればあるほど、これに対する対応能力が高くなる。さらに一体化された洗浄乾燥ノズルヘッド、所謂洗浄ノズルと乾燥ノズルが共に一個のノズル移動手段を介して任意の位置に移動可能になるため、小スペースの空間の中での配設が容易になる。
【００１１】
また請求項５の記載によれば、洗浄乾燥ノズルは、複数の噴射孔を有する洗浄ノズルあるいは乾燥ノズルを配設して人体洗浄乾燥装置が構成されているので、人体局部面積が広く、あるいは表面形状が複雑であればあるほど、これに対する対応性がさらに向上する。
【００１２】
また請求項６の記載によれば、気体供給手段は、断続的な噴流を噴射させるためのエアーコンプレッサーと、蓄圧タンク、そして開閉弁から人体洗浄乾燥装置が構成されているので、断続的な噴流方式は、少ない流量で水滴を剥離滴下させる能力を有するため、大形の高圧力型送風機に替わって小形のエアーコンプレッサーへの置き換えが可能になる。
【００１３】
また請求項７の記載によれば、人体洗浄水として、水道水に気体を混入し利用する液体供給手段において、前記気体を供給するエアーポンプと、洗浄時に人体に付着した水滴を、気流噴流を当て剥離滴下させて乾燥を行う気体供給手段におけるエアーポンプとを共用化して人体洗浄乾燥装置が構成されているので、エアーポンプの削減に伴う低コスト化と、省資源化が期待できる。
【００１４】
また請求項８の記載によれば、エアーポンプは、吐出流量可変型のエアーポンプと、吐出流量制御回路を具備して人体洗浄乾燥装置が構成されているので、液体供給手段及び気体供給手段の独自の最適な制御運転が可能になるため、高い洗浄能力あるいは乾燥能力で利用できると同時に省ネルギー視点からの効果も期待できる。
【００１５】
【実施例】
（実施例１）
図１は、本発明の実施例１における人体洗浄乾燥装置１０と、これを据え付けられた便器１１周辺の概観構成図、図２は人体洗浄乾燥装置１０の流体回路の構成図、図３は、図１の人体洗浄乾燥装置１０のに内設された洗浄乾燥ノズルＵ１２の要部構成図を示す。
【００１６】
図１から図３において、人体洗浄乾燥装置１０は、人体１３の局部を洗浄と乾燥を行う洗浄乾燥ノズルＵ１２と、前記洗浄乾燥ノズルＵ１２に、洗浄液体あるいは乾燥気流を供給する液体供給手段１４及び気体供給手段１５、乾燥を援助するための温風供給手段１６、これらを制御する運転制御手段１７と、これら各要素手段を組み込んだ便座ユニット１８から構成される。
【００１７】
洗浄乾燥ノズルＵ１２は、洗浄乾燥ノズルヘッド１９とノズル移動手段２０からなり、このうち洗浄乾燥ノズルヘッド１９は、洗浄ノズル２１と乾燥ノズル２２を一体化し、またノズル移動手段２０は、前記洗浄ノズル２１と乾燥ノズル２２へ流体を供給するためにノズル軸部２３に内設した流体通路２４を備え、前記洗浄乾燥ノズルヘッド１９は、前記回転軸部２５を軸にステッピングモータ２６の回転動力によってノズル軸部２３の軌道と同期して左右にワイピング移動可能に構成されている。
【００１８】
また液体供給手段１４は、供給口２７から流入した水道水が、一時的に開かれた第１電磁弁２８を経てベンチュリー型気液混合器２９に入り、ここで一方から気体を吸い込み、気泡を含む洗浄水に変化させて加熱器３０へ流入される。ここで一定温度に加熱された温水は、チューブ３１を介して接続口３２から洗浄乾燥ノズルＵ１２へ通流するように構成されている。一方ベンチュリー型気液混合器２９に吸い込まれる気体は、吐出流量可変型のエアーポンプ３３から吐出された気体を、一時的に開らかれた第２電磁弁３４を介して利用している。
【００１９】
また気体供給手段１５は、前記エアーポンプ３３を共用し、ここから吐出された高圧の気体が蓄圧タンク３５に一次的に貯留し、第３電磁弁３６を経て、チューブ３７を介して接続口３８から洗浄乾燥ノズルＵ１２へ向うように構成されている。
【００２０】
また温風供給手段１６は、送風ファン（図示省略）から空気加熱器（図示省略）を経て得られた温風が，吹出口３９から人体に向けて吹出されるように構成されている。
【００２１】
また運転制御手段１７は、液体供給手段１４、気体供給手段１５、温風供給手段１６を制御し、洗浄、乾燥の各モードを形成している。
【００２２】
なお、使用後の洗浄乾燥ノズルヘッドは、人体洗浄乾燥装置本体にも設けたノズルヘッド収納スペース６０へ収納できるように構成している。
【００２３】
次に動作と作用について説明すると、用便後、リモコンを介して運転制御手段１７から気体供給手段１５の第３電磁弁３６を一旦閉とし、次に液体供給手段１４を作動させ、流入する水道水と、エアーポンプ３３から吐出された気体をベンチュリー型気液混合器２９で混合させ、所謂微小の気泡を含む洗浄水に一旦加工した上、加熱器３０で温かい温水に加熱し、洗浄乾燥ノズルＵ１２のノズル移動手段２０によって人体の汚れた適位置に移動させた洗浄ノズル２１より人体１３の局部へ噴射し、汚れを洗浄する。
【００２４】
次に洗浄の後、リモコンを介して運転制御手段１７を作動させ、液体供給手段１４の運転をＯＦＦ、気体供給手段１５と温風供給手段１６をＯＮに制御する。先ず気体供給手段１５は、高圧の気体がエアーポンプ３３から吐出され、蓄圧タンク３５に一次的に貯留し、そして第３電磁弁３６の断続的な開閉に応じて、洗浄乾燥ノズルＵ１２の乾燥ノズル２２から断続的に噴射され、人体に付着した水滴を剥離させ、滴下させる。さらに洗浄乾燥ノズルＵ１２のノズル移動手段２０を作動させ、乾燥ノズル２２を、図示の矢印３６のようにワイピング移動させると共に、さらに、これを繰り返し行うことによって、人体に付着した水滴を広域に亘って滴下させることができる。また温風供給手段１６を、期待供給手段の運転と連動させて同時運転を行い、温風を人体に吹き掛けることによって、乾燥ノズル２２の噴流で吹き飛ばされた後の、残っている水膜を蒸発乾燥させることができる。このため、乾燥の促進作用が高く、乾燥のための待ち時間が短縮され、不快感を解消することができる。
【００２５】
この結果、乾燥時間の短縮による省エネルギー効果が良く、且つ老人層あるいは介護層の体の不自由な方の、衛生的な人体の洗浄に加えて乾燥も、手を使わずに行えることができる。なお、洗浄乾燥ノズルヘツドとして、洗浄ノズルもしくは乾燥ノズルを複数備えて構成することや、噴射孔を複数個も設けて洗浄ノズルもしくは乾燥ノズルを構成することは、国内外の異なる体形に応じて適切に設定する必要がある。また流量可変型のエアーポンプとしては、回転速度を任意に可変できるステッピングモータ以外に、回転数の可変制御が容易であるＤＣモータを含む電動モータや、これらを制御する吐出流量制御回路を利用すれば十分対応が可能になる。また吐出流量制御回路を運転制御手段の中に組み入れ一体化することによって小形化にできる。
【００２６】
（実施例２）
図４は、本発明の人体洗浄乾燥装置に搭載する他の実施例２における洗浄乾燥ノズルＵの拡大構成図である。
【００２７】
本実施例２において、実施例１と異なる点は、洗浄乾燥ノズルヘッドを、送りラックを利用してワイピング移動させるノズル移動手段として構成した点にある。なお、実施例１と同一の符号のものは、同一構造を有し、説明は省略する。
【００２８】
図４において、洗浄乾燥ノズルＵ４０は、洗浄乾燥ノズルヘッド１９とノズル移動手段４１からなり、このうちノズル移動手段４１は、前記洗浄ノズル２１と乾燥ノズル２２へ流体を供給するためにノズル軸管４２に内設した流体通路４３と、前記流体通路４３の入り口に接続口４４、４５を設け、これら接続口４４、４５と液体供給手段及び気体供給手段とをチューブ３１、３７を介して接続し、流体（液体及び気体）の流路が形成される。またノズル移動手段４１は、洗浄乾燥ノズルヘッド１９を接合したノズル軸管４２と、これに載設された送りラック４６と、前記送りラックに歯合させた歯車４７、前記歯車４７に直結されたステッピングモータ４８から構成される。ノズル軸管４２は、送りラック４６をステッピングモータ４８の回転から歯車４７を介して並進移動させることによって、回転軸部４９を中心に左右にワイピング移動する。なお、流量可変型のエアーポンプとしては、回転速度を任意に可変できるステッピングモータ以外に、回転数の可変制御が容易であるＤＣモータの利用も十分対応できる。
【００２９】
次に動作と作用について説明すると、実施例１と同様に洗浄ノズル２１を利用して人体洗浄を行い、続いてリモコンを介して運転制御手段１７を作動させ、気体供給手段１５を動作させる。所謂エアーポンプ３３から吐出された高圧の気体が、ノズル軸管４２は、送りラック４６をステッピングモータ４８の回転から歯車４７を介して並進移動させることによって、回転軸部４９を中心に左右にワイピング移動する。したがってノズル軸管４２に直結されている洗浄乾燥ノズルヘッド１９も、ノズル軸管４２の軌道と同期して左右にワイピング移動することになり、洗浄乾燥ノズルヘッド１９の乾燥ノズル２２からのジェット噴流が広域に亘って、且つ第３電磁弁３６の断続的な開閉に応じて、断続的に噴射され、人体に付着した水滴を剥離させ、滴下させることができる。
【００３０】
また温風供給手段１６を同時運転させて温風を人体に吹き掛けることによって、乾燥ノズル２２の噴流で吹き飛ばされた後の、残っている水膜を蒸発乾燥させることができる。
【００３１】
（実施例３）
図５は、本発明の人体洗浄乾燥装置に搭載する他の実施例３における洗浄乾燥ノズルＵの拡大構成図である。
【００３２】
本実施例３において、実施例１と異なる点は、洗浄乾燥ノズルヘッドを、前後移動するようにノズル移動手段とした点にある。なお、実施例１と同一の符号のものは、同一構造を有し、説明は省略する。
【００３３】
図５において、洗浄乾燥ノズルＵ５０は、洗浄乾燥ノズルヘッド５１とノズル移動手段５２からなり、このうち洗浄乾燥ノズルヘッド５１は、洗浄ノズル５３と乾燥ノズル５４から構成される。またノズル移動手段５２は、前記洗浄ノズル５３と乾燥ノズル５４へ流体を供給するためにノズル軸管５５に内設した流体通路５６と、前記流体通路５６の入り口に接続口５７、５８を設け、これら接続口５７、５８と液体供給手段及び気体供給手段とをチューブ３１、３７を介して接続し、流体（液体及び気体）の流路が形成される。またノズル移動手段５２は、洗浄乾燥ノズルヘッド５１を接合したノズル軸管５５と、これに併設された送りラック５９と、前記送りラック５９に歯合させた歯車６０、前記歯車６０に直結されたステッピングモータ６１から構成される。ノズル軸管５５は、送りラック５９がステッピングモータ６１の回転から歯車６０を介して前後移動するのと同じ軌道６２でガイダー６３に沿って作動すように構成されている。したがって洗浄乾燥ノズルヘッド５１も、ノズル軸管５５と同期して前後に移動する。
【００３４】
次に動作と作用について説明すると、実施例１と同様に洗浄ノズル５３を利用して人体の汚れた局部の洗浄を行い、続いてリモコンを介して運転制御手段１７を作動させ、気体供給手段１５を動作させる。所謂エアーポンプ３０から吐出された高圧の気体は、ノズル軸管５５内の、接続口５７、５８から流体回路５６を通流し、洗浄乾燥ノズルヘッド５１の乾燥ノズル５４から人体に向けて噴射される。と同時に、ノズル移動手段５２によって、洗浄乾燥ノズルヘッド５１が、ステッピングモータ６１の回転から歯車６０を介して前後移動する送りラック５９と同期し作動し、ジェット噴流が広域に亘って噴射される。且つ第３電磁弁３６の断続的な開閉に応じて、断続的に噴射され、人体に付着した水滴を剥離させ、滴下させることができる。
【００３５】
また温風供給手段１６を同時運転させて温風を人体に吹き掛けることによって、乾燥ノズル２２の噴流で吹き飛ばされた後の、残っている水膜を蒸発乾燥させることができる。このため、乾燥の促進作用が高く、乾燥のための待ち時間が短縮され、不快感を解消することができる。この結果、乾燥時間の短縮による省エネルギー効果が良く、且つ老人層あるいは介護層の体の不自由な方の、衛生的な人体の洗浄に加えて乾燥も、手を使わずに行えることができる。
【００３６】
【発明の効果】
以上の発明から明らかのように本発明の人体洗浄乾燥装置は、人体に液体（水又は温水）を噴射し人体を洗浄する洗浄ノズルと、人体に気体（常温気体または温風）を噴射し人体を乾燥する乾燥ノズルを設け、これらを一体化した洗浄乾燥ノズルＵを構成し、洗浄乾燥ノズルヘッドの洗浄ノズルから液体を噴射させ、用便後の人体を洗浄すると共に、前記洗浄乾燥ノズルヘッドの乾燥ノズルより、ジェット乾燥噴流を断続的に人体局部に噴射させ、さらに人体周囲より乾燥温風を吹き掛けて乾燥しつつ、付着した水滴を吹き飛ばし、同時に蒸発乾燥を繰り替えし行う構成としたもので、特に局部洗浄後に付着した水滴を、
断続的なジェット乾燥噴流によって大きな水滴を吹き飛ばし、飛散滴下させる一方、微小な水膜状の水滴は、乾燥温風によって蒸発乾燥が促進され、乾燥の促進作用が高く、乾燥のための待ち時間が短縮され、不快感が解消さると共に、乾燥時間の短縮によって省エネルギー効果も向上される。
【図面の簡単な説明】
【図１】  本発明の実施例１における便器周辺の、人体洗浄乾燥装置の概観構成図
【図２】  本発明の実施例１に搭載された人体洗浄乾燥装置の流体回路構成図
【図３】  本発明の実施例１に搭載された洗浄乾燥ノズルＵの拡大構成図
【図４】  本発明の実施例１に搭載される他の洗浄乾燥ノズルＵの拡大構成図
【図５】  本発明の実施例１に搭載されるさらに他の洗浄乾燥ノズルＵの拡大構成図
【図６】  従来の洗浄乾燥装置の構成図
【符号の説明】
１０  人体洗浄乾燥装置
１３  人体
１４  液体供給手段
１５  気体供給手段
１６  温風吹出手段
１７  運転制御手段
１９、５１  洗浄乾燥ノズルヘッド
２０、４１、５２  ノズル移動手段
２１、５３  洗浄ノズル
２２、５４  乾燥ノズル
２４、４３、５６  流体通路
２６、４８、６１  電動モータ（ステッピングモータ、ＤＣモータ）
３３  エアーコンプレッサー
３５  蓄圧タンク
３６  電磁弁
【図１】
0003778048.tif 000002
【図２】
0003778048.tif 000003
【図３】
0003778048.tif 000004
【図４】
0003778048.tif 000005
【図５】
0003778048.tif 000006
【図６】
0003778048.tif 000007